(57)【要約】【課題】既存のリモート制御対象測定器自体を改造または、購入し直すことなくネットワークを介して測定器のリモート操作を行えるようにする。【解決手段】ネットワーク１に接続されたＷｅｂサーバ２０と、ネットワーク１に接続され遠隔操作インタフェースとビデオ信号入力部とを備えた複数のイーサネット（登録商標）変換装置３０ａ〜３０ｎと、遠隔操作通信機能と表示部に表示する映像信号をアナログビデオ出力することのできる複数の測定器４０ａ〜４０ｎと、ネットワーク１に接続された、表示部を備えた操作端末１０とを有し、操作端末１０が、汎用ブラウザプログラムによりネットワーク１およびＷｅｂサーバ２０を介して測定器４０ｉのビデオ出力映像を確認しながら測定器４０ｉの操作を行い測定データ採取または波形観測、設定変更を行う。【選択図】図１
2006294000.tif 000002
【特許請求の範囲】
【請求項１】
ネットワークに接続され記録部、処理部および通信インタフェースを備えたＷｅｂサーバと、前記ネットワークに接続され遠隔操作インタフェース、ビデオ信号入力部、映像送信機能および通信インタフェースを備えたイーサネット（登録商標）変換装置と、遠隔操作通信機能および表示部を有するとともに前記表示部に表示する映像信号をアナログビデオ出力する機能を有する測定器と、前記ネットワークに接続され表示部を備えた操作端末とを有し、前記操作端末によって、汎用ブラウザプログラムにより前記ネットワークを介して前記Ｗｅｂサーバと接続を行い、前記Ｗｅｂサーバを介して前記測定器のビデオ出力映像を確認しながら前記測定器の操作を行い、測定データ採取または波形観測、設定変更を行うリモート測定システム。
【請求項２】
前記イーサネット（登録商標）変換装置が、ＧＰＩＢアドレスおよび設定変更画面情報を記録する記録部と、設定変更手段、フォーマット変換プログラム、映像送信手段およびビデオ信号処理手段を有する処理部とを有する請求項１記載のリモート測定システム。
【発明の詳細な説明】
【技術分野】
【０００１】
本発明は、ネットワークを介して測定器をリモート操作し測定器のビデオ出力の映像を確認しながら測定器を操作するリモート測定システムに関するものである。
【背景技術】
【０００２】
従来の技術についてまず、ＧＰＩＢ（Ｇｅｎｅｒａｌ  Ｐｕｒｐｏｓｅ  Ｉｎｔｅｒｆａｃｅ  Ｂｕｓ）通信機能を備えたスペクトラムアナライザを測定器の一例として図７を参照して構成と動作について説明する。
【０００３】
図７に示すように、ＧＰＩＢ通信機能を搭載したスペクトラムアナライザ１４０は、ミキサ１４１と、ローカル発振器１４２と、ＩＦフィルタ１４３と、検波器１４４と、ＡＤ変換器１４５と、ＣＰＵ１４６と、表示器であるＣＲＴ１４７と、操作キー１４８と、ＧＰＩＢインタフェース１４９で構成されている。
【０００４】
入力の高周波信号は、ミキサ１４１でローカル発振器１４２の発振周波数と混合して和又は差の周波数を出力する。ミキサ１４１の出力信号は、ＩＦフィルタ１４３で和又は差の信号を所定の分解能帯域幅（ＲＢＷ）で選択して、さらに検波器１４４で検波する。
【０００５】
検波器１４４で検波した信号は、Ａ／Ｄ変換器１４５でデジタル信号に変換する。デジタル信号に変換した信号は、ＣＰＵ１４６で演算して表示部に周波数のスペクトラムとして表示する。
【０００６】
また、ＣＰＵ１４６は、ＧＰＩＢインタフェース１４９と操作キー１４８の入力データとソフトウェアとで制御され、ローカル発振器の掃引周波数とＣＲＴ１４７の表示の縦軸と横軸とを制御している。また、ビデオ出力部１５０は、ＣＲＴに表示する画像をアナログビデオ信号として出力する。
【０００７】
従来このＧＰＩＢ通信機能を用いて遠隔操作するには、図８に示すように、リモートディスクトップ機能等の端末遠隔操作プログラムを搭載した操作端末２６０とネットワーク２０１とリモートディスクトップ機能等の端末遠隔操作プログラムと図７のスペクトラムアナライザ１４０を代表とする測定器２４０ａ〜２４０ｎを制御するためのＧＰＩＢコ−ドとＧＰＩＢコードを格納し送受信するための測定器操作プログラムとＧＰＩＢインタフェースを搭載した制御端末２５０ａ〜２５０ｎとで構成されている。（特許文献１参照）
操作端末２６０は、ネットワーク２０１を介してリモートディスクトップ機能等の端末遠隔操作プログラムにより制御端末２５０ａ〜２５０ｎと接続を行い制御端末２５０ａ〜２５０ｎに搭載された測定器操作プログラムを遠隔操作することにより測定、設定変更などのリモート操作を行っていた。
【特許文献１】特開平２−１５２３４９号公報（第２頁、図１など）
【発明の開示】
【発明が解決しようとする課題】
【０００８】
このような従来の方法では、測定器２４０ａ〜２４０ｎの遠隔操作を行うためには、測定器２４０ａ〜２４０ｎそれぞれにＧＰＩＢインタフェースを備えたパソコン等の制御端末２５０ａ〜２５０ｎを設置し測定器２４０ａ〜２４０ｎをリモート操作するためのプログラムを制御端末２５０ａ〜２５０ｎ（ｎは２以上の自然数）それぞれに格納する必要がある。
【０００９】
また、操作端末２６０と制御端末２５０ａ〜２５０ｎの両者には、リモートディスクトップ接続機能等を搭載したＯＳ（基本ソフトウェア）または、端末を遠隔操作するためのプログラムを格納する必要があった。
【００１０】
本発明は、上記課題を解決するものであり、既存のリモート制御対象測定器自体を改造または、購入し直すことなくネットワークを介して測定器のリモート操作を行えるようにするものである。
【課題を解決するための手段】
【００１１】
上記目的を達成するために、本発明はネットワークに接続され記録部、処理部および通信インタフェースを備えたＷｅｂサーバと、前記ネットワークに接続され遠隔操作インタフェース、ビデオ信号入力部、映像送信機能および通信インタフェースを備えたイーサネット（登録商標）（Ｅｔｈｅｒｎｅｔ（登録商標））変換装置と、遠隔操作通信機能および表示部を有するとともに前記表示部に表示する映像信号をアナログビデオ出力する機能を有する測定器と、前記ネットワークに接続され表示部を備えた操作端末とを有し、前記操作端末によって、汎用ブラウザプログラムにより前記ネットワークを介して前記Ｗｅｂサーバと接続を行い、前記Ｗｅｂサーバを介して前記測定器のビデオ出力映像を確認しながら前記測定器の操作を行い、測定データ採取または波形観測、設定変更を行うものである。
【発明の効果】
【００１２】
本発明によれば操作端末に特別なプログラムのインストールや遠隔操作インタフェースの増設拡張を行うことなく、汎用ブラウザから遠隔地に設置された測定器のビデオ出力の映像を動的に確認しながら測定器の操作キーを操作端末の表示部に再現した操作コマンドボタンを操作選択することにより、測定したい信号の種類や特徴に応じて測定器の設定を変更しながら波形解析や測定をリアルタイムに行うことができる。
【発明を実施するための最良の形態】
【００１３】
上記目的を達成するために、本発明はネットワークに接続され記録部、処理部および通信インタフェースを備えたＷｅｂサーバと、前記ネットワークに接続され遠隔操作インタフェース、ビデオ信号入力部、映像送信機能および通信インタフェースを備えたイーサネット（登録商標）変換装置と、遠隔操作通信機能および表示部を有するとともに前記表示部に表示する映像信号をアナログビデオ出力する機能を有する測定器と、前記ネットワークに接続され表示部を備えた操作端末とを有し、前記操作端末によって、汎用ブラウザプログラムにより前記ネットワークを介して前記Ｗｅｂサーバと接続を行い、前記Ｗｅｂサーバを介して前記測定器のビデオ出力映像を確認しながら前記測定器の操作を行い、測定データ採取または波形観測、設定変更を行うものである。
【００１４】
この構成によれば操作端末に特別なプログラムのインストールを行うことなく、汎用ブラウザから遠隔地に設置された測定器のビデオ出力を動画で確認しながら測定器の操作キーを操作端末の表示部に再現した操作コマンドボタンを操作選択することにより、測定したい信号の種類や特徴に応じて測定器の設定を変更しながら波形解析や測定をリアルタイムに行うことができる。
【００１５】
また、Ｗｅｂサーバをインターネットに接続することにより、測定者は汎用ブラウザ搭載の操作端末を用いて、インターネットに接続できればどこからでも遠隔地に設置された測定器の操作が可能になる。
【００１６】
汎用ブラウザプログラムは、ソフトウェアで提供されるプラグイン等を組み込ませることにより、汎用ブラウザプログラム内において動画再生ソフト等のアプリケーションを起動させ、映像の表示が可能となる。
【００１７】
このシステムによれば、高額な設備の投資をすることなく、ＣＡＴＶ局舎設備や放送局等設備等の無線設備などの無人化を促進することができ、例えば中央監視センターや自宅などから複数の遠隔地の対象局舎の設備の信号のレベル測定または波形観測を行うことができる。
【実施例】
【００１８】
以下、図面に基づいて本発明の一実施例におけるリモート測定システムについて説明する。
【００１９】
図１は、本発明を適用したリモート測定システムを示すものでありネットワーク１に接続可能な複数のイーサネット（登録商標）変換装置３０ａ〜３０ｎ（ｎは２以上の自然数）と、イーサネット（登録商標）変換装置に遠隔操作通信の一例であるＧＰＩＢ通信とビデオ出力が可能な測定器４０ａ〜４０ｎ（ｎは２以上の自然数）とネットワーク１に接続されたサーバ２０及びネットワーク１に接続可能で表示部を有する操作端末１０とで構成される。
【００２０】
なお、遠隔操作通信機能を実現する手段としては、ＲＳ２３２Ｃ通信機能など同様の効果を得ることができる手段であれば他のものでもよい。
【００２１】
ネットワーク１は、操作端末１０とＷｅｂサーバ２０とイーサネット（登録商標）変換器３０ａ〜３０ｎとの通信経路であり、そのプロトコルはＴＣＰ／ＩＰに準拠するものでありＬＡＮまたはインターネットのどちらでもよい。
【００２２】
操作端末１０は、汎用ブラウザプログラムを格納し有線または無線によりネットワークに接続された汎用ＰＣまたは携帯電話であればよい。
【００２３】
各測定器４０ａ〜４０ｎは、スペクトラムアナライザの場合、図２に示すようにミキサ４１、ローカル発振器４２、ＩＦフィルタ４３、検波器４４、ＡＤ変換器４５、ＣＰＵ４６、表示器であるＣＲＴ４７、操作キー４８および遠隔操作インタフェースの一例であるＧＰＩＢインタフェース４９とで構成している。入力の高周波信号は、ミキサ４１でローカル発振器４２の発振周波数と混合して和又は差の周波数を出力する。
【００２４】
ミキサ４１の出力信号は、ＩＦフィルタ４３で和又は差の信号を所定の分解能帯域幅（ＲＢＷ）で選択して、さらに検波器４４で検波する。検波器４４で検波した信号は、ＡＤ変換器４５でデジタル信号に変換する。
【００２５】
デジタル信号に変換した信号は、ＣＰＵ４６で演算して表示部に周波数のスペクトラムとして表示する。また、ＣＰＵ４６は、ＧＰＩＢインタフェース４９と操作キー４８の入力データとソフトウェアとで制御され、ローカル発振器の掃引周波数とＣＲＴ４７の表示の縦軸と横軸とを制御している。また、ビデオ出力部１００は、ＣＲＴに表示する映像をアナログビデオ信号として出力する。
【００２６】
ＧＰＩＢインタフェース４９はＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）規格４８８の計測バスＧＰＩＢによるリモート操作をおこなうためのインタフェースである。コードには、ＡＳＣＩＩコードまたは、バイナリコードを使用する。
【００２７】
ビデオ出力１００は、測定器のＣＲＴ等の表示部の映像をアナログビデオ信号として出力する。
【００２８】
次にイーサネット（登録商標）変換装置３０ａの構成を図３に示す。なお、イーサネット（登録商標）変換装置３０ｂ〜３０ｎもイーサネット（登録商標）変換装置３０ａと同様の構成である。
【００２９】
イーサネット（登録商標）変換装置３０ａは、ＧＰＩＢアドレス３１ａと設定変更画面３１ｂを記録する記録部３１と、設定変更手段３２ａとフォーマット変換プログラム３２ｂと映像送信手段３２ｃとビデオ信号処理を行うビデオ信号処理手段３２ｄを有する処理部３２と、通信インタフェース３３とＧＰＩＢインタフェース３４とビデオ信号入力部３５を有する。
【００３０】
通信インタフェース３３はＴＣＰ／ＩＰに準拠する。また、ＧＰＩＢインタフェース３４はＩＥＥＥ規格４８８に準拠する。
【００３１】
ビデオ信号入力部３５は、ビデオケーブル等により測定器４０ａのビデオ出力部１００と接続されアナログビデオ信号を入力する。
【００３２】
ＧＰＩＢアドレス３１ｂはＩＥＥＥ規格４８８に準拠した通信を行うための情報である。
【００３３】
設定変更画面情報３１ｃは、ＧＰＩＢアドレスを変更または、設定するための設定変更画面の情報である。
【００３４】
さらに、ビデオ信号処理手段３２ｄは、ビデオ信号入力部３５より入力されたビデオ信号を離散化してビデオキャプチャ処理を行いアナログビデオ信号の映像情報を生成する。
【００３５】
映像送信手段３２ｃは、ネットワーク１を介して接続されたＷｅｂサーバ２０または操作端末１０に対してビデオ信号処理手段３２ｄにより生成された測定器４０ａのアナログビデオ出力信号の映像情報を通信インタフェース３３とネットワーク１を介してＷｅｂサーバ２０へ送信する。
【００３６】
Ｗｅｂサーバ２０から送られてきた測定器４０ａのＧＰＩＢコードは、通信インタフェース３３を経てフォーマット変換プログラム３２ｂとＧＰＩＢインタフェース３４によりフォーマット変換され測定器４０ａへ送信される。
【００３７】
また、Ｗｅｂサーバ２０から送られたＧＰＩＢコードにトーカ・リクエストコードが含まれる場合、ＧＰＩＢコードを受信した測定器４０ａは、トーカ・リクエストコードに応じたコードをイーサネット（登録商標）変換装置３０ａのＧＰＩＢインタフェース３４へ送信し、フォーマット変換プログラム３２ｂと通信インタフェース３３によりフォーマット変換されＷｅｂサーバ２０へコードを送信する。
【００３８】
設定変更手段３２ａは、Ｗｅｂサーバ２０または操作端末１０より、ネットワーク1を
介してＧＰＩＢアドレス３１ａの設定変更要求があった場合、Ｗｅｂサーバ２０または操作端末１０へ記録部３１に格納されている設定変更画面情報３１ｂを送信し、これを受信したＷｅｂサーバ２０または操作端末１０は、受信した設定変更画面情報３１ｂに基づいて設定変更画面を表示部に表示し、操作者は設定変更画面のパラメータ入力部にパラメータを入力しイーサネット（登録商標）変換器３０ａに情報を送信することにより、この情報を受信したイーサネット（登録商標）変換器３０ａは記録部３１に格納されたＧＰＩＢアドレス３１ｂの変更を行う。
【００３９】
次にＷｅｂサーバ２０の構成を図４により説明する。Ｗｅｂサーバ２０は、記録部２１、処理部２２、通信インタフェース２３を備える。
【００４０】
ユーザデータベース２１ａには、このＷｅｂサーバ２０にアクセスする権限を有するものに対してあらかじめ付与されたユーザＩＤとパスワードが登録されている。
【００４１】
認証手段２２ａは、操作端末１０に対する認証処理を行うためのものであり、汎用ブラウザプログラム上のＵＲＬ指定により接続要求のあった操作端末１０にユーザＩＤ及びパスワードの入力を指示し、端末１０から送られてきたユーザＩＤとパスワードがユーザデータベース２１ａの内容と一致しているか否かを判定する。
【００４２】
測定器データベース２１ｂには、各測定器４０ａ〜４０ｎそれぞれの型式、設置場所、シリアル番号、ＧＰＩＢアドレス等の属性情報と、測定器４０ａ〜４０ｎそれぞれが接続しているイーサネット（登録商標）変換装置３０ａ〜３０ｎのＩＰアドレスおよびＧＰＩＢアドレスを登録している。
【００４３】
ＧＰＩＢコード２１ｄは、測定器データベース２１ｂに登録されている測定器の型式ごとのＧＰＩＢコードを格納する。
【００４４】
測定器選択指示手段２２ｂは認証手段２２ａで認証された操作端末１０に対して、測定器データベース２１ａに登録されている各測定器４０ａ〜４０ｎの属性情報を含む測定器選択画面の情報を操作端末１０に送信してその操作端末１０の表示部に表示させて、そのいずれかを選択可能にする。
【００４５】
映像配信手段は、周知のストリーミング手段や、Ｍｏｔｉｏｎ  ＪＰＥＧ等による映像配信手段でよい。
【００４６】
操作コマンドボタン情報２１ｃは、測定器の型式ごとの測定器に搭載されている操作キーを操作端末１０の表示部に操作コマンドボタンとして表示させるための情報である。操作端末は、操作により操作コマンドを選択しその情報をＷｅｂサーバ２０へ送信する。
【００４７】
操作コマンド選択指示手段２２ｃは、測定器選択指示手段２２ｂにより選択された測定器４０ｉ（測定器４０ａ〜４０ｎのうち、ひとつの測定器を以下測定器４０ｉと記す）の型式に応じた操作コマンドボタン情報２１ｃを操作端末１０の表示部に表示させて、操作コマンドを可能にする。選択された操作コマンドの情報はＷｅｂサーバへ送信される。
【００４８】
記録部２１に格納されているＧＰＩＢコード２１ｄは、操作端末１０の表示部に表示されている操作コマンドボタン情報２１ｃの操作コマンドボタンに対応するＧＰＩＢコードを測定器の型式ごとに格納する。
【００４９】
コード送信手段２２ｄは、操作コマンド選択指示手段２２ｃにより選択され送信された操作コマンドに対して、記録部２１に格納された測定器データベース２１ｂ、ＧＰＩＢコード２１ｄ、測定器の状態２１ｅにアクセスを行い操作コマンドに対応したＧＰＩＢコードを選択して通信インタフェース２３よりネットワーク１を介してイーサネット（登録商標）変換装置３０ｉ（イーサネット（登録商標）変換装置３０ａ〜３０ｎのうち、ひとつのイーサネット（登録商標）変換装置を以下イーサネット（登録商標）変換装置３０ｉと記す）へ送信する。
【００５０】
なお、操作コマンドの情報としてあらかじめＧＰＩＢコードを格納しておき、制御に必要な情報を抽出してイーサネット（登録商標）変換装置に送信する形態でもよい。
【００５１】
測定器状態データ２１ｅは、測定器データベース２１ｂに登録されている測定器ごとの状態が記録される。これは、コード送信手段２２ｄにより送信されたＧＰＩＢコードに測定器の状態を報告させるためのトーカ・リクエストコードが含まれる場合、測定器４０ｉにより返信されたコードを格納する領域である。
【００５２】
コード受信手段２２ｅは、通信インタフェースを介してＧＰＩＢコードを受信する。
【００５３】
コード保存手段２２ｆは、コード受信手段２２ｅにより受信したコードが測定器の状態を示すものである場合、測定器データベース２１ａに登録されている測定器ごとに格納する。
【００５４】
映像受信手段２２ｇは、測定器選択指示手段２２ｂにより選択された測定器４０ｉに接続しているイーサネット（登録商標）変換装置３０ｉいずれかへ接続を行い通信インタフェース３６より送出された測定器ビデオ出力の映像情報を、ネットワーク１を介してＷｅｂサーバ２０の通信インタフェース２２を経て受信する。
【００５５】
映像送信手段２２ｈは、汎用ブラウザプログラム上のＵＲＬ指定により接続要求のあった操作端末１０に対して認証手段２２ａを経て測定器選択指示手段２２ｂにより選択された測定器の映像情報を映像受信手段２２ｈにより受信し通信インタフェース２３とネットワーク１を介して操作端末１０へ送信する。
【００５６】
通信インタフェース２２は、ＴＣＰ／ＩＰに準拠する。
【００５７】
次にこのシステムの測定システム動作について図５を参照して説明する。
【００５８】
操作端末１０は汎用ブラウザプログラムの起動を行いブラウザプログラム上のＵＲＬを指定することによりネットワークを介してＷｅｂサーバ２０へアクセスを行う（ステップ６１）。
【００５９】
Ｗｅｂサーバ２０は、アクセス元の操作端末１０に対してユーザＩＤパスワードを入力させるための認証画面の情報を送信する（ステップ６２）。
【００６０】
この認証画面が表示された操作端末１０の操作によりＩＤとパスワードが入力される（ステップ６３、ステップ６４）とＷｅｂサーバ２０は、入力されたＩＤとパスワードがユーザデータベース２１ａに登録されているか否かを調べ（ステップ６５）、登録されていれば測定器データベース２１ｂに登録されている測定器４０ａ〜４０ｎの属性情報を含む測定器選択画面の情報をアクセスもとの操作端末１０へ送信する（ステップ６６）。
【００６１】
操作端末１０の表示部には、各測定器４０ａ〜４０ｎの型式、設置場所、シリアル番号等の属性情報の一覧からなる測定器選択画面が表示され（ステップ６７）、この画面上の操作端末１０の操作によって測定器４０ａ〜４０ｎのいずれかおよびイーサネット（登録商標）変換装置３０ａ〜３０ｎのいずれかが決定される。（ステップ６８）決定された測定器の情報は、Ｗｅｂサーバ２０へ送信される。
【００６２】
Ｗｅｂサーバ２０は、ステップ６８により決定された測定器が接続しているイーサネット（登録商標）変換装置３０ａ〜３０ｎのいずれかがへ接続を行い（ステップ６９）イーサネット（登録商標）変換装置３０ａ〜３０ｎのいずれかにより生成された測定器４０ａ〜４０ｎのいずれかのビデオ出力映像の情報を受信するとともに、（ステップ６１、ステップ６２）により認証され（ステップ６８）により決定された測定器４０ａ〜４０ｎのいずれかのビデオ出力映像の情報を操作端末１０へ映像情報を送信する（ステップ７１）。
【００６３】
また、（ステップ６８）により決定された測定器の型式に応じてＷｅｂサーバの記録部２１に格納されている操作コマンドボタン情報２１ｃの情報を操作端末１０へ送信を行う（ステップ７４）。
【００６４】
操作端末１０の表示部には例えば図６に示すように操作コマンドボタン５１と測定器ビデオ出力表示部５２からなる操作コマンドボタン情報２１ｃの一例である測定器操作画面５０が表示される。測定器ビデオ出力表示部５２は、（ステップ７１）により送信された測定器のビデオ出力映像を表示する（ステップ７２）。
【００６５】
また、測定器走査画面２１ｃの操作コマンドボタン５１は、あらかじめ対象測定器本体の操作キーの配列やコマンドなどを再現した構成としてもよく、他の手段として、リモート測定を行うのに必要なコマンドや必要な設定をプリセット化したボタンを操作端末１０の表示画面に表示させてもよい。
【００６６】
操作端末１０は、操作コマンドボタン情報を操作して選択することにより、Ｗｅｂサーバ２０に対して操作コマンドの情報を送信する（ステップ７６）。
【００６７】
（ステップ７６）により送信された操作コマンド情報を受信したＷｅｂサーバは、記録部２１に格納された測定器データベース２１ｂ、ＧＰＩＢコード２１ｄ、測定器状態２１ｅにアクセスを行い操作コマンドに対応したＧＰＩＢコードを選択して（ステップ６８）により決定されたイーサネット（登録商標）変換装置３０ｉへＧＰＩＢコードを送信する（ステップ７７）。
【００６８】
（ステップ７７）により送信されたＧＰＩＢコードを受信したイーサネット（登録商標）変換装置３０ｉはＧＰＩＢインタフェースとフォーマット変換プログラムによりフォーマット変換して測定器４０ｉへＧＰＩＢコードを送信する。またＧＰＩＢコードを受信した測定器４０ｉはＧＰＩＢコードに応じて測定器４０ｉの操作を行う（ステップ７９）。
【００６９】
また、ＧＰＩＢコードに測定器状態やリモート操作を報告させるためのトーカ・リクエストコードが含まれる場合、測定器４０ｉは、トーカリクエストに応じたコードをイーサネット（登録商標）変換装置３０ｉへ送信する（ステップ８０）。
【００７０】
（ステップ８０）により送信されたコードを受信したイーサネット（登録商標）変換装置３０ｉは、通信インタフェースとフォーマット変換プログラムにてフォーマット変換されＷｅｂサーバ２０へ送信を行う（ステップ８１）。
【００７１】
またこれを受信したＷｅｂサーバ２０は、測定器の状態やリモート操作の結果を記録部２１に記録する（ステップ８２）。
【００７２】
また、（ステップ７０、ステップ７１、ステップ７２）により表示されている測定器のビデオ出力信号の映像は、連続的に表示され、測定器ビデオ出力映像表示部５２により測定器に表示されているＣＲＴ等の表示部の画像を確認しながら測定器のコマンド操作が行える。
【００７３】
なお、上記実施例は、ＧＰＩＢインタフェースを用いた場合にて説明したが、遠隔操作インタフェースとして他の手段、例えばＲＳ２３２Ｃインタフェースなどを用いてもよい。
【００７４】
すなわち、ＲＳ２３２Ｃインタフェースなどのインタフェースを備える測定器においても、ＡＳＣＩＩコード及びバイナリデータによる制御が可能であれば、リモート操作補助装置の測定器に対応したインタフェースを備え、操作コマンドや制御情報を対応させることでリモート測定が可能となる。
【産業上の利用可能性】
【００７５】
本発明は、ＣＡＴＶ伝送路に不定期に発生する妨害波の波形を確認しながら測定器の設定を妨害波に適した設定に変更し観測を行うことに利用することができる。
【図面の簡単な説明】
【００７６】
【図１】本発明の一実施例におけるリモート測定システムの構成図
【図２】同測定器の構成図
【図３】同イーサネット（登録商標）変換装置の構成図
【図４】同Ｗｅｂサーバの構成図
【図５】同動作説明図
【図６】同操作端末の表示部の正面図
【図７】従来のリモート測定システムを構成する測定器の構成図
【図８】同リモート測定システムの構成図
【符号の説明】
【００７７】
１    ネットワーク
１０    操作端末
２０    Ｗｅｂサーバ
２１    記録部
２２    処理部
２３    通信インタフェース
３０ａ〜３０ｎ    イーサネット（登録商標）変換器
３１    記録部
３２    処理部
３３    通信インタフェース
３４    ＧＰＩＢインタフェース
３５    ビデオ信号入力部
４０ａ〜４０ｎ    測定器
【図１】
2006294000.tif 000003
【図２】
2006294000.tif 000004
【図３】
2006294000.tif 000005
【図４】
2006294000.tif 000006
【図５】
2006294000.tif 000007
【図６】
2006294000.tif 000008
【図７】
2006294000.tif 000009
【図８】
2006294000.tif 000010